(57)【特許請求の範囲】
【請求項１】
被取付面に被係止部によって取り付けられる上本体部と、前記上本体部の下側に取り付けられると共に、板状のベース部と、前記ベース部の下面に取り付けられる、光源であるＬＥＤユニットと、を有する下本体部と、を備える器具本体と、
前記下本体部の下側に着脱可能に取り付けられる透光性の第１のカバーおよび不透光性の第２のカバーと、を有し、
前記ＬＥＤユニットは、前記ベース部の下面における、中央領域の両側に位置する第１領域および第２領域の各々に設けられ、
前記第１のカバーは前記第１領域および前記第２領域の各々に対応して設けられ、
前記第２のカバーは前記中央領域に対応して設けられ、
前記ＬＥＤユニットに設けられたＬＥＤのうち、前記中央領域寄りに位置するＬＥＤに集光レンズが取り付けられ、
前記第１のカバーは、前記中央領域の側の端部に壁部を有し、前記壁部は、前記ＬＥＤユニットと前記被係止部とを隔て、前記壁部の前記ＬＥＤユニット側の側面が、前記ＬＥＤユニットからの光を反射する反射面である照明器具。
【請求項２】
請求項１に記載の照明器具において、
前記第１のカバーは、前記中央領域から、前記被取付面に平行な方向に遠ざかるに従って前記ＬＥＤユニットとの距離が小さくなるように傾斜する断面形状を有する照明器具。
【発明の詳細な説明】
【技術分野】
【０００１】
本発明は、ＬＥＤを用いて天井面等の被取付面に取り付けて使用する照明器具に関するものである。
【背景技術】
【０００２】
従来より、天井面に取り付ける照明器具が知られている（例えば、特許文献１参照）。
図１４に示すように、特許文献１に記載の照明器具１００は、天井面１０１に対して固定され外周に係止部１０２が形成された引掛ローゼット１０３と、中央に引掛ローゼット１０３を通す孔１０４が設けられるとともに、孔１０４内に弾性付勢されて突出され係止部１０２に係止される被係止部１０５が設けられている。
【０００３】
さらに、被係止部１０５の外側位置には光源部１０６が設けられ、引掛ローゼット１０３の下面に接続されるプラグ１０７を介して受電される本体１０８と、プラグ１０７の下面及び被係止部１０５を外向きに変位させるために本体１０８の下面に露出された係止解除操作部１０９の下面を着脱可能に覆うカバー１１０とを備える。また、光源部１０６には多数の白色の発光ダイオード（ＬＥＤ）１１１を有する。
【先行技術文献】
【特許文献】
【０００４】
【特許文献１】特開２００２−２７００２６号公報（第１図）
【発明の概要】
【発明が解決しようとする課題】
【０００５】
しかしながら、前述した特許文献１に記載の照明器具１００においては、照度が低く、直下照度が満足なものではないという問題があった。
【０００６】
本発明は、従来の問題を解決するためになされたもので、十分な直下照度を得ることができる照明器具を提供することを目的とする。
【課題を解決するための手段】
【０００７】
本発明の照明器具は、被取付面に被係止部によって取り付けられる上本体部と、前記上本体部の下側に取り付けられると共に、板状のベース部と、前記ベース部の下面に取り付けられる、光源であるＬＥＤユニットと、を有する下本体部と、を備える器具本体と、前記下本体部の下側に着脱可能に取り付けられる透光性の第１のカバーおよび不透光性の第２のカバーと、を有し、前記ＬＥＤユニットは、前記ベース部の下面における、中央領域の両側に位置する第１領域および第２領域の各々に設けられ、前記第１のカバーは前記第１領域および前記第２領域の各々に対応して設けられ、前記第２のカバーは前記中央領域に対応して設けられ、前記ＬＥＤユニットに設けられたＬＥＤのうち、前記中央領域寄りに位置するＬＥＤに集光レンズが取り付けられ、前記第１のカバーは、前記中央領域の側の端部に壁部を有し、前記壁部は、前記ＬＥＤユニットと前記被係止部とを隔て、前記壁部の前記ＬＥＤユニット側の側面が、前記ＬＥＤユニットからの光を反射する反射面である。
【００１０】
さらに、本発明の照明器具は、前記第１のカバーは、前記中央領域から、前記被取付面に平行な方向に遠ざかるに従って前記ＬＥＤユニットとの距離が小さくなるように傾斜する断面形状を有するものである。
【発明の効果】
【００１１】
本発明は、ＬＥＤユニットに設けられたＬＥＤのうち、器具本体の中央寄りに位置するＬＥＤに集光レンズを取り付けたので、中央寄りの配光が狭角になり、十分な直下照度を得ることができるという効果を有する照明器具を提供できる。
【図面の簡単な説明】
【００１２】
【図１】本発明に係る実施形態の照明器具を下方から見た斜視図
【図２】図１中ＩＩ−ＩＩ位置の断面図
【図３】本発明に係る実施形態の照明器具の分解斜視図
【図４】下本体部における放熱の状態を示す説明図
【図５】（Ａ）は下本体部裏面における電源ユニットの熱の放熱部位を示す説明図であり、（Ｂ）は下本体部下面におけるＬＥＤユニットの熱の放熱部位を示す説明図
【図６】（Ａ）は図４中ＶＩ部分におけるユニット取付台の斜視図であり、（Ｂ）は（Ａ）中Ｂ方向から見た側面図
【図７】（Ａ）は集光レンズを取り付けないＬＥＤパッケージの断面図であり、（Ｂ）は光の感じを示す説明図
【図８】（Ａ）は集光レンズを取り付けたＬＥＤパッケージの断面図であり、（Ｂ）は光の感じを示す説明図
【図９】カバー部材のカバーとＬＥＤユニットとの距離を示す説明図
【図１０】（Ａ）はＬＥＤユニットが発した光の進路を示す照明器具の断面図であり、（Ｂ）は照明器具を上方から見た斜視図
【図１１】（Ａ）は集光レンズを用いたＬＥＤパッケージから発せられた光の進路を示す説明図であり、（Ｂ）は集光レンズを用いないＬＥＤパッケージから発せられた光の進路を示す説明図
【図１２】上本体部とカバーとの間の光の進路を示す説明図
【図１３】集光レンズを下本体部の長手方向中央寄りで短手方向に配置した場合を示す分解斜視図
【図１４】天井面等の被取付面に取り付けて使用する従来の照明器具の断面図
【発明を実施するための形態】
【００１３】
以下、本発明に係る実施形態の照明器具について、図面を用いて説明する。
図１に示すように、本発明に係る実施形態の照明器具１０は、被取付面である天井面１１に取り付けられて、主に下方を照明する。
なお、図２に示すように、天井面１１における照明器具１０の取付け位置には、照明器具１０を簡単に取り付けるための天井係止具が取り付けられている。以下の説明においては、天井係止具として引っ掛けシーリング１３を用いた場合について説明するが、引っ掛けローゼットを用いても同様である。
【００１４】
図２および図３に示すように、照明器具１０は、天井面１１に取り付けられる上本体部２０と、上本体部２０の下側に取り付けられる下本体部３０とから構成される器具本体１２を有し、下本体部３０の下側には、カバー部材４０が取り付けられる。
【００１５】
上本体部２０は、熱伝導性が良好な金属製、例えばＳＧＣＣ（溶融亜鉛メッキ鋼板）で形成することができる。
図３に示すように、上本体部２０は、矩形板状の天板２１と、天板２１の周縁に沿って折り曲げ下ろして形成された長手方向の縦壁２２，２２および短手方向の縦壁２３，２３を有する。これにより、内部空間２７を有して、下方に開口（開口部２４）した矩形箱状を呈している。
なお、上本体部２０は、後述するＬＥＤユニット５０を実装する基板５１よりも熱伝導性が良好であることが望ましい。また、上本体部２０の内面は、白色系の色に塗装して、光を反射するようにするのが望ましい。
【００１６】
天板２１の中心部には、開口が設けられており、天井面１１に取り付けられている引っ掛けシーリング１３に取り付けられる引っ掛けシーリングプラグ２５が取り付けられている。また、天板２１の上面には、天井面１１との間の緩衝材である複数個（例えば、３個）のパッキン２６が取り付けられている。
【００１７】
図４に示すように、下本体部３０は、上本体部２０の下側に取り付けられて、器具本体１２を構成する。下本体部３０の平面サイズは上本体部２０の平面サイズよりも大きくなっており、上本体部２０と接続した状態で、下本体部３０の外周部は、上本体部２０の外側に突出（張出部３１３）する。
【００１８】
図３に示すように、下本体部３０は、金属製（例えば、ＳＧＣＣ）で矩形板状のベース部３１を有し、ベース部３１の下面３１１には、複数個（ここでは、例えば６個）のＬＥＤユニット５０が放熱シート３２を介して取り付けられている。なお、ＬＥＤユニット５０については、詳細を後述する。
従って、図４に示すように、ＬＥＤユニット５０等により発せられた熱は、下本体部３０の金属製のベース部３１の張出部３１３から上下方向へ放熱（図４中矢印参照）されるので、下本体部３０の放熱性が良好になる。
【００１９】
図３に示すように、ベース部３１の中央には開口部３３が設けられており、上本体部２０の引っ掛けシーリングプラグ２５が突出可能となっている。これにより、器具本体１２の薄型化を図っている。
ベース部３１の下面３１１で、幅方向（短手方向）の中央には、リモコン装置（図示省略）からの赤外線信号を受光する受光部３４が、受光部取付台３４１を介して取り付けられている。
【００２０】
また、ベース部３１の上面３１２には、電源ユニット３５１を収容する電源ユニット収容箱３５およびＬＥＤユニット５０の出力を制御する制御ブロック３６が取り付けられている。ここでは、電源ユニット収容箱３５が２個設けられている（図３においては１個のみ表示）。電源ユニット収容箱３５は、金属（例えば，ＳＧＣＣ）で形成されている。
【００２１】
従って、上本体部２０と下本体部３０とを接合した状態では、電源ユニット収容箱３５および制御ブロック３６は、上本体部２０の内部空間２７に収容されることになる。このため、上本体部２０および下本体部３０を別個に製作し、組み付けるので、組立性が向上する。
なお、制御ブロック３６は、受光部３４に接続されており、受光部３４が受信したデータに基づいてＬＥＤユニット５０の光出力を制御する。
【００２２】
従って、図５（Ａ）に示すように、電源ユニット３５１が取り付けられている下本体部３０のベース部３１の上面３１２では、ベース部３１の上面３１２において幅方向中央部が、電源ユニット３５１が発する熱の放熱部位（図５（Ａ）においてハッチングで表示）となる。すなわち、この部分では、下面３１１にＬＥＤユニット５０が設けられていないため、ＬＥＤユニット５０の発熱の影響が小さいので有効に放熱できる。
【００２３】
また、図５（Ｂ）に示すように、ＬＥＤユニット５０が取り付けられている下本体部３０下面では、ベース部３１の下面３１１において幅方向両外側部が、ＬＥＤユニット５０が発する熱の放熱部位（図５（Ｂ）においてハッチングで表示）となる。すなわち、この部分では、上面３１２に電源ユニット３５１が設けられていないため、電源ユニット３５１の発熱の影響が小さいので有効に放熱できる。
これにより、下本体部３０のベース部３１の放熱性を有効に利用している。
【００２４】
図６（Ａ）に示すように、下本体部３０のベース部３１には、ＬＥＤユニット５０を取り付けるためのユニット取付台３７が設けられている。取付台３７は、ベース部３１の所定位置に、一対の直線上のスリット３７１を設け、スリット３７１間を下本体部の下面３１１側に押し出して、逆台形に形成される。
従って、ベース部３１には、開口部３１４が形成される。
【００２５】
また、ユニット取付台３７は、一対の斜面３７２と、両斜面３７２の下端を連結する水平な取付面３７３を有し、取付面３７３には、ＬＥＤユニット５０を取り付けるためのねじ孔３７４が設けられている。
従って、ＬＥＤユニット５０は、ねじ３７５によって、ユニット取付台３７の取付面３７３のねじ孔３７４に取り付けられる。
また、図６（Ｂ）に示すように、ベース部３１の開口部３１４は、上面３１２側に透明パネル３８を貼って覆われている。
【００２６】
図３に示すように、下本体部３０のベース部３１下面３１１には、複数個（ここでは、６個）のＬＥＤユニット５０が取り付けられている。
図７（Ａ）に示すように、ＬＥＤユニット５０では、正方形の基板５１にＬＥＤチップ５２を実装し、ＬＥＤチップ５２の前方にレンズ５３を設けてＬＥＤパッケージ５４Ａを構成する。ＬＥＤパッケージ５４Ａでは、図７（Ｂ）に示すように、光が中央に集中する感じはなく、全体的に照射される感じとなる。
【００２７】
また、図８（Ａ）に示すように、ＬＥＤパッケージ５４ＡにおけるＬＥＤチップ５２およびレンズ５３の前方に集光レンズ５５を取り付けて、ＬＥＤパッケージ５４Ｂを構成する。ＬＥＤパッケージ５４Ｂでは、図８（Ｂ）に示すように、光が中央側へ集中する感じとなる。
なお、ＬＥＤパッケージ５４ＡおよびＬＥＤパッケージ５４Ｂを総称する場合には、ＬＥＤパッケージ５４と記す。また、基板５１の表面を白色系の色で塗装するのが望ましい。
【００２８】
図２および図３に示すように、下本体部３０に取り付けられているＬＥＤユニット５０に設けられている９個のＬＥＤパッケージ５４のうち、下本体部３０の中央寄りの３個には、集光レンズ５５付きのＬＥＤパッケージ５４Ｂが配置されており、他の６個には、集光レンズ５５が取り付けられていないＬＥＤパッケージ５４Ａが配置されている。
【００２９】
図１および図３に示すように、カバー部材４０は上方に開口した全体矩形箱状を呈しており、幅方向中央に長手方向へ沿って、例えばＡＢＳ（Acrylonitrile  Butadiene  Styrene)から成る取付カバー４１が設けられている。取付カバー４１は、下方に露出する平面状の取付カバー本体４１１と、取付カバー本体４１１の幅方向両外側から上方へ形成された縦壁４１２を有する。
【００３０】
取付カバー４１は、引っ掛けシーリングプラグ２５等の取付部分を隠すために不透光性となっており、取付カバー本体４１１における受光部３４の前方には、赤外線信号を受信するための受信窓４１３が設けられている。
なお、取付カバー４１のＬＥＤユニット５０と対向する内面は、白色系の色を塗装して、光を反射するようにするのが望ましい。
【００３１】
取付カバー４１の幅方向両外側に沿って、例えばアクリルから成る透光性の良好なカバー４２が設けられる。カバー４２において、取付カバー４１と接する端部には上方に向かって内壁４２１が形成され、幅方向外側端部には上に向かって外壁４２２が形成されている。
【００３２】
図９に示すように、カバー部材４０のカバー４２は、器具本体１２の中央から遠ざかるに従って、ＬＥＤユニット５０のＬＥＤパッケージ５４に近づくように構成されている。
すなわち、器具本体１２の中央からＬＥＤパッケージ５４までの距離Ｄが、Ｄ１＜Ｄ２＜Ｄ３のときに、ＬＥＤパッケージ５４とカバー４２との距離Ｈが、Ｈ１＞Ｈ２＞Ｈ３となるように、カバー４２は傾斜して取り付けられる。
【００３３】
図１および図３に示すように、取付カバー４１およびカバー４２の長手方向両端部には、板金からなるカバー取付台４３が設けられている。カバー取付台４３は、例えばＳＧＣＣで形成することができる。また、外観の向上および放熱性を高める観点から、内面および外面を白色系の色で塗装するのが望ましい。
従って、カバー部材４０は、取付カバー４１の幅方向両外側にカバー４２を取付け、長手方向両端にカバー取付台４３を取り付けて構成される。
【００３４】
次に、ＬＥＤユニット５０から発せられる光の進路について説明する。
図１０に示すように、ＬＥＤユニット５０から発せられた光Ｌ１は、カバー部材４０のカバー４２を透過して，下方に照射される。
このとき、下本体部３０の中央寄りのＬＥＤパッケージ５４として、集光レンズ５５付きのＬＥＤパッケージ５４Ｂが設けられている場合には、図１１（Ａ）に示すように、多くは下方へ照射され、一部が側方に発せられて、カバー４２の内壁４２１で反射して下方に照射される。
【００３５】
なお、図１１（Ｂ）に示すように、集光レンズ５５が取り付けられていないＬＥＤパッケージ５４Ａが下本体部３０の中央よりに配置されている場合には、ＬＥＤパッケージ５４Ｂの場合（図１１（Ａ）参照）に比して側方へ向かう光が多くなり、下方へ照射される光Ｌ１の損失が大きくなる。
【００３６】
また、図１２に示すように、ＬＥＤユニット５０から発せられた光Ｌ１の一部の光Ｌ２は、カバー４２の内面４２３とベース部３１の下面３１１との間で反射を繰り返して外側へ移動し、ベース部３１の張出部３１３に達する。張出部３１３にも、ユニット取付台３７が設けられており、ユニット取付台３７に設けられている開口部３１４から、光Ｌ３がベース部３１の上方へ漏れて、天井面１１を照らす（図１０（Ａ）参照）。
このとき、一部の光Ｌ４は、上本体部２０の縦壁２２，２３で反射して、天井面１１に向かう（図１０参照）。
従って、ベース部３１の開口部３１４から光Ｌ３，Ｌ４が漏れて、天井面１１をほのかに照らす。
【００３７】
以上、説明した本発明に係る実施形態の照明器具１０によれば、天井面１１に取り付けられる上本体部２０を介して、光源であるＬＥＤユニット５０が取り付けられる下本体部３０を取り付けるので、ＬＥＤユニット５０は天井面１１から離れて取り付けることができ、ＬＥＤユニット５０が発する熱を、上下方向へ効率よく放熱することができる（図４参照）。
また、上本体部２０の平面サイズよりも下本体部３０の平面サイズを大きくしたので、下本体部３０は上本体部２０から張出部３１３が突出する。このため、下本体部３０のベース部３１の上面３１２からも発熱でき、発熱面積が大きくなるので、発熱効率が向上する（図４参照）。これにより、熱によってＬＥＤユニット５０の寿命が短くなるのを防止できる。
また、下本体部３０が大きいため、視覚上、照明器具１０が薄く見える。
【００３８】
また、ＬＥＤユニット５０を、下本体部３０において最も上本体部２０側にあるベース部３１に取り付けたので、ＬＥＤユニット５０が発した熱を、ベース部３１に伝達し、ベース部３１を介して有効に放熱することができる。
また、反射板や導光板を用いることなく，直接ＬＥＤユニット５０の光出力で照射可能なので、照明器具１０の小型化・薄型化を図ることができる。
【００３９】
また、ＬＥＤユニット５０を点灯させる電源ユニット３５１を収容する電源ユニット収容箱３５が、下本体部３０に取り付けられて上本体部２０に収容されるので、上本体部２０には取付けのための凹凸を設ける必要がなく、照明器具１０を薄型に見せることができる。
また、電源ユニット３５１を上本体部２０から離して配置するので、ＬＥＤユニット５０の熱の影響を受けにくくなる。
また、電源ユニット３５１によって発せられる熱を、下本体部３０を介して放熱することができる。
また、電源ユニット収容箱３５を中心から均等に配置することにより、重量のバランスを取りやすくなるとともに商用電源との接続線を短くできる。
【００４０】
さらに、上本体部２０を、ＬＥＤユニット５０を実装する基板５１よりも熱伝導性が良好な材質で形成するので、放熱効果を高めることができる。
【００４１】
また、本発明の照明器具１０によれば、天井面１１に取り付けられる上本体部２０の平面寸法よりも、上本体部２０の下側に取り付けられるとともに光源であるＬＥＤユニット５０が取り付けられる下本体部３０の平面寸法を大きくしたので、下本体部３０において上本体部２０から外側へ突出している張出部３１３は天井面１１との間に空間が形成される。この張出部３１３には開口部３１４が設けられており、ＬＥＤユニット５０からの光の一部を開口部３１４から天井面１１側へ照射することにより、別途光源を設けることなく、間接光によって天井面１１を照射でき、照明器具１０を薄く見せることができる（図１０参照）。
また、下本体部３０は上本体部２０から外側へ突出しているので、放熱効率を改善できる（図４参照）。
さらに、開口部３１４を介して放熱することにより、放熱効率を向上させることができる。
【００４２】
また、下本体部３０の所定位置に、一対の直線上のスリット３７１を設け、スリット３７１間を下本体部３０の下面側に押し出してＬＥＤユニット５０を取り付けるユニット取付台３７を設けたので、ユニット取付台３７の基部に開口部３１４を設けることができる（図６（Ａ）参照）。
また、ユニット取付台３７を介してＬＥＤユニット５０を下本体部３０に取り付けるので、別の部品を用いることなくＬＥＤユニット５０と下本体部３０との間に適度の空間を設けることができる。
【００４３】
また、開口部３１４を透明パネル３８で覆ったので、光を透過させながらも、虫やほこりの侵入を防止できる（図６（Ｂ）参照）。
また、透明パネル３８の透過度や着色により、天井面１１を照らす明るさや，色調を調整でき、様々な雰囲気を創出できる。
【００４４】
また、下本体部３０のベース部３１の天井面１１側の面である上面３１２を白色系の色としたので、天井面１１と下本体部３０との間で光の反射が繰り返されて、間接光の照射範囲を拡げることができる。
【００４５】
さらに、ＬＥＤユニット５０のカバー部材４０側の面が白色系の色であるので、ＬＥＤユニット５０とカバー部材４０のカバー４２の内面４２３との間で光の反射が繰り返されて、間接光の照射範囲を拡げることができる。
【００４６】
また、本発明の照明器具１０によれば、ＬＥＤユニット５０に設けられたＬＥＤパッケージ５４のうち、器具本体１２の中央寄りに位置するＬＥＤパッケージ５４（５４Ａ）に集光レンズ５５を取り付けたので、中央寄りの配光が狭角になり、十分な直下照度を得ることができる（図３参照）。
また、中央寄りに，周辺部より明るいあかりだまりができるので、明るさ感が向上する。
【００４７】
また、器具本体１２の中央に取り付けられる引っ掛けシーリングプラグ２５とＬＥＤユニット５０との間に、不透光性の取付カバー４１を設けたので、照明器具１０の取付け、取外しの際に、直接ＬＥＤユニット５０に触れるのを防止できる（図３参照）。
また、取付カバー４１の内部に設けられた受光部３４にＬＥＤユニット５０から光ノイズが入るのを防止できる。
【００４８】
また、取付カバー４１の少なくともＬＥＤユニット５０側面を反射面としたので、中央付近の光出力のうち取付カバー４１方向への光を反射させることにより、下方への光量を増すことができる（図１１参照）。
【００４９】
さらに、カバー部材４０を、器具本体１２の中央から遠ざかるに従ってＬＥＤユニット５０に近づくようにしたので、外郭側のカバー４２における照度を、中央付近の集光レンズ５５を通過した光の照度とが略均一になり、カバー４２全体が均一な明るさとなる。これにより、ユーザに不快感を与えるのを防止できる（図９参照）。
また、カバー４２の外郭部が薄くなるため、照明器具全体が薄く見え、圧迫感がなくなる。
【００５０】
なお、本発明の照明器具は、前述した実施形態に限定されるものでなく、適宜な変形，改良等が可能である。
例えば、前述した実施形態において、下本体部３０のベース部３１にユニット取付台３７を設ける際に開口部３１４を設けた場合を例示したが、ユニット取付台とは別個に、光を外部に漏らすためだけにベース部３１に開口を設けるようにすることもできる。
【００５１】
また、前述した実施形態においては、ベース部３１の幅方向中央寄りのＬＥＤパッケージ５４に集光レンズ５５を取り付けたＬＥＤパッケージ５４Ａを用いた場合を例示（図３参照）したが、図１３に示すように、ベース部３１の長手方向中央寄りのＬＥＤパッケージ５４に集光レンズ５５を取り付けたＬＥＤパッケージ５４Ａを用いるようにすることも可能である。
【符号の説明】
【００５２】
１０  照明器具
１１  天井面（被取付面）
１２  器具本体
１３  引っ掛けシーリング
２０  上本体部
２５  引っ掛けシーリングプラグ
３０  下本体部
４０  カバー部材
４１  取付カバー
５０  ＬＥＤユニット
５４、５４Ａ、５４Ｂ  ＬＥＤパッケージ（ＬＥＤ）
５５  集光レンズ
【図１】
0005635365.tif 000002
【図２】
0005635365.tif 000003
【図３】
0005635365.tif 000004
【図４】
0005635365.tif 000005
【図５】
0005635365.tif 000006
【図６】
0005635365.tif 000007
【図７】
0005635365.tif 000008
【図８】
0005635365.tif 000009
【図９】
0005635365.tif 000010
【図１０】
0005635365.tif 000011
【図１１】
0005635365.tif 000012
【図１２】
0005635365.tif 000013
【図１３】
0005635365.tif 000014
【図１４】
0005635365.tif 000015